(57)【要約】【課題】周辺機器との連携をアシストすることのできる通信装置を提供する。【解決手段】通信装置の親機１００Ａと子機１００Ｂとの間では第１の通信が行なわれる。親機１００Ａと周辺機器との間では第２の通信が行なわれる。子機１００Ｂに配された操作部で第２の通信に関するユーザ操作を受け付けることができる。上記ユーザ操作を受け付けると（Ｓ０）、指示の後の第２の通信の状況が、第１の通信を利用して親機１００Ａから子機１００Ｂに通知される（Ｓ５）。子機１００Ｂでは、配置されたディスプレイで表示するなどして、第２の通信の状況を報知する（Ｓ６）。【選択図】図５
2015012565.tif 000002
【特許請求の範囲】
【請求項１】
第１の装置と少なくとも１台の第２の装置とを含む通信装置であって、
前記第１の装置と前記第２の装置との間の通信である第１の通信を行なうための第１の通信手段と、
前記第１の装置と周辺機器との間の通信である第２の通信を行なうための第２の通信手段と、
前記第２の装置に配された、前記第２の通信に関する操作を受け付けるための操作手段と、
前記第２の装置に配された、前記第１の装置と前記周辺機器との間の前記第２の通信の状況を報知するための報知手段とを備え、
前記報知手段は、前記操作手段によって前記第２の通信の開始が指示された後の前記第２の通信の状況を、前記第１の通信を利用して前記第１の装置から前記第２の装置に通知し、前記第２の装置で報知する処理を実行する、通信装置。
【請求項２】
前記報知手段は、前記第２の通信に関する操作を受け付けた前記操作手段が配されている前記第２の装置で前記報知を行なう、請求項１に記載の通信装置。
【請求項３】
前記報知手段は、前記第２の装置での報知と併せて、前記第１の装置でも報知する、請求項１または２に記載の通信装置。
【請求項４】
前記報知手段は、前記第２の通信の開始が指示された後、予め規定された期間内に前記第２の通信が不成立であった場合に、その旨を報知する、請求項１〜３のいずれかに記載の通信装置。
【請求項５】
第１の通信を行なう第１の装置と少なくとも１台の第２の装置とを含む通信装置での、前記第１の装置と周辺機器との間の通信である第２の通信の通信状態を報知する方法であって、
前記第２の装置に配された、前記第２の通信に関する操作を受け付けるための操作手段によって、前記第２の通信の開始の指示を受け付けるステップと、
前記指示の後の前記第２の通信の状況を、前記第１の通信を利用して前記第１の装置から前記第２の装置に通知するステップと、
前記第２の装置に配された報知手段で、前記第２の通信の状況を報知するステップとを備える、報知方法。
【発明の詳細な説明】
【技術分野】
【０００１】
この発明は通信装置および報知方法に関し、特に、周辺機器と連携可能な通信装置および報知方法に関する。
【背景技術】
【０００２】
電話機のような、無線で接続された親機と子機とを含む通信装置の中には、さらに、携帯電話機などの周辺機器と連携する機能を有するものがある。たとえば、特開２００４−１９８７３８号公報（以下、特許文献１）は、携帯電話機と連携可能な、親機と子機とを含むインタホン装置を開示している。このとき、通信装置では、親機と子機との間の通信を第１の通信とすると、親機と周辺機器との間では、第１の通信とは異なる第２の通信を行なうことがある。上記の特許文献１のインタフォンシステムは、親機と子機との間では第１の通信としてインタホン通信を行ない、親機と携帯電話機との間では第２の通信としてＢｌｕｅｔｏｏｔｈ（登録商標）通信を行なっている。
【先行技術文献】
【特許文献】
【０００３】
【特許文献１】特開２００４−１９８７３８号公報
【特許文献２】特開２００４−８００７８号公報
【特許文献３】特開２００４−９６４６３号公報
【特許文献４】特開２０１０−２１９９５６号公報
【発明の概要】
【発明が解決しようとする課題】
【０００４】
親機と子機とのうちのいずれか一方に周辺機器と第２の通信を行なうための通信機能が搭載されている場合、上記一方の機器（たとえば親機）と周辺機器とが第２の通信可能な範囲にないと第２の通信が実現されない。しかしながら、上記一方の機器ではない方の機器（たとえば子機）の側に第２の通信のための操作部が設けられている場合、ユーザは周辺機器を上記一方の機器（たとえば親機）に近づけることなく他方の機器（たとえば子機）を周辺機器に近づけて操作してしまうことがあり、第２の通信が実現されないことになる、という問題がある。
【０００５】
本発明はこのような問題に鑑みてなされたものであって、周辺機器との連携をアシストすることのできる通信装置および報知方法を提供することを目的としている。
【課題を解決するための手段】
【０００６】
上記目的を達成するために、本発明のある局面に従うと、通信装置は、第１の装置と少なくとも１台の第２の装置とを含み、第１の装置と第２の装置との間の通信である第１の通信を行なうための第１の通信手段と、第１の装置と周辺機器との間の通信である第２の通信を行なうための第２の通信手段と、第２の装置に配された、第２の通信に関する操作を受け付けるための操作手段と、第２の装置に配された、第１の装置と周辺機器との間の第２の通信の状況を報知するための報知手段とを備える。報知手段は、操作手段によって第２の通信の開始が指示された後の第２の通信の状況を、第１の通信を利用して第１の装置から第２の装置に通知し、第２の装置で報知する処理を実行する。
【０００７】
好ましくは、報知手段は、第２の通信に関する操作を受け付けた操作手段が配されている第２の装置で報知を行なう。
【０００８】
好ましくは、報知手段は、第２の装置での報知と併せて、第１の装置でも報知する。
好ましくは、報知手段は、第２の通信の開始が指示された後、予め規定された期間内に第２の通信が不成立であった場合に、その旨を報知する。
【０００９】
好ましくは、報知手段は、さらに、操作手段で第２の通信の開始が指示されると、予め規定されている報知情報を報知する。
【００１０】
好ましくは、報知手段は、第２の通信の状況を報知する際に、第２の通信の種類に応じて報知する内容を決定する。
【００１１】
本発明の他の局面に従うと、報知方法は、第１の通信を行なう第１の装置と少なくとも１台の第２の装置とを含む通信装置での、第１の装置と周辺機器との間の通信である第２の通信の通信状態を報知する方法であって、第２の装置に配された、第２の通信に関する操作を受け付けるための操作手段によって、第２の通信の開始の指示を受け付けるステップと、指示の後の第２の通信の状況を、第１の通信を利用して第１の装置から第２の装置に通知するステップと、第２の装置に配された報知手段で、第２の通信の状況を報知するステップとを備える。
【発明の効果】
【００１２】
この発明によると、複数の装置を含む通信装置であって、１つの装置が、上記複数の装置間の通信とは異なる通信方式で周辺機器と通信可能であって、上記１つの装置以外の他の装置に上記周辺機器との通信に関するユーザ操作を受け付けるための操作部が設けられている場合に、上記１つの装置と周辺機器との連携を適切にアシストすることができる。
【図面の簡単な説明】
【００１３】
【図１】実施の形態にかかる通信装置の構成の具体例を示す概略図である。
【図２】通信装置の親機の装置構成の具体例を表わしたブロック図である。
【図３】通信装置の子機の装置構成の具体例を表わしたブロック図である。
【図４】携帯電話機の装置構成の具体例を表わしたブロック図である。
【図５】通信装置での動作概要を表わした図である。
【図６】ペアリング動作の指示をユーザから受け付けたときの子機の表示を表わした図である。
【図７】転送動作の指示をユーザから受け付けたときの子機の表示を表わした図である。
【図８】子機の機能構成の具体例を示すブロック図である。
【図９】親機の機能構成の具体例を示すブロック図である。
【図１０】子機での動作の流れを表わしたフローチャートである。
【図１１】親機での動作の流れを表わしたフローチャートである。
【発明を実施するための形態】
【００１４】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１５】
＜装置構成＞
図１は、本実施の形態にかかる通信装置１の構成の具体例を示す概略図である。図１を参照して、通信装置１は、親機１００Ａと子機１００Ｂとを含む。通信装置１は、好適には、親機１００Ａと子機１００Ｂとを含んだ電話システムである。通信装置１は、電話システムの他、インタホンなどであってもよい。
【００１６】
親機１００Ａは、さらに周辺機器と通信が可能である。周辺機器の一例として携帯電話機２が挙げられる。周辺機器は、その他、スキャナやプリンタや他の電話システムであってもよい。
【００１７】
親機１００Ａと子機１００Ｂとは無線通信を行なう。以降の説明では、この無線通信を「第１の通信」とも称する。第１の通信は、好適には、ＤＥＣＴ（Digital  Enhanced  Cordless  Telecommunications：デジタルコードレス電話規格）方式の通信が用いられる。
【００１８】
親機１００Ａは、さらに、周辺機器である携帯電話機２とも無線通信を行なう。以降の説明では、この無線通信を「第２の通信」とも称する。第２の通信には、たとえば、Ｂｌｕｅｔｏｏｔｈ（登録商標）などの近距離無線通信、ＩｒＳｉｍｐｌｅ（登録商標）などの赤外線通信などが該当する。第２の通信は、これら通信のうちのいずれか１つであってもよいし、複数であってその中から選択するようにしてもよい。
【００１９】
図２〜図４は、それぞれ、親機１００Ａ、子機１００Ｂ、および携帯電話機２の装置構成の具体例を表わしたブロック図である。
【００２０】
図２を参照して、親機１００Ａは、親機１００Ａ全体を制御するための制御装置としてのＣＰＵ（Central  Processing  Unit）１０Ａと、ＣＰＵ１０Ａで実行されるプログラムなどを記憶するためのメモリであるＲＯＭ（Read  Only  Memory）１１Ａと、電話帳データを記憶したりＣＰＵ１０Ａがプログラムを実行する際の作業領域となったりするためのメモリであるＲＡＭ（Random  Access  Memory）１２Ａと、情報を報知するための装置の一例としてのディスプレイ１３Ａと、子機１００Ｂとの間の第１の通信を行なうための第１通信部１４Ａと、携帯電話機２との間の第２の通信を行なうための第２通信部１５とを含む。
【００２１】
図３を参照して、子機１００Ｂは、子機１００Ｂ全体を制御するための制御装置としてのＣＰＵ１０Ｂと、ＣＰＵ１０Ｂで実行されるプログラムなどを記憶するためのメモリであるＲＯＭ１１Ｂと、電話帳データを記憶したりＣＰＵ１０Ｂがプログラムを実行する際の作業領域となったりするためのメモリであるＲＡＭ１２Ｂと、情報を報知するための装置の一例としてのディスプレイ１３Ｂと、親機１００Ａとの間の第１の通信を行なうための第１通信部１４Ｂと、数字ボタンや通話開始ボタンなどユーザ指示を受け付けるための操作部１６とを含む。
【００２２】
図４を参照して、携帯電話機２は、携帯電話機２全体を制御するための制御装置としてのＣＰＵ２０と、ＣＰＵ２０で実行されるプログラムなどを記憶するためのメモリであるＲＯＭ２１と、電話帳データを記憶したりＣＰＵ２０がプログラムを実行する際の作業領域となったりするためのメモリであるＲＡＭ２２と、タッチパネル２３と、親機１００Ａとの間の第２の通信を行なうための第２通信部２４と、他の携帯電話機との間の通信を行なうための第３通信部２５とを含む。
【００２３】
＜動作概要＞
図５は、通信装置１での動作概要を表わした図である。図５を参照して、子機１００Ｂの操作部１６で、親機１００Ａと周辺機器である携帯電話機２との間の第２の通信を必要とした動作の開始を指示するユーザ操作を受け付けると（ステップＳ０）、子機１００Ｂは親機１００Ａに対して、指示された動作モードを通知する（ステップＳ１）。ここでの通知には、第１の通信が用いられる。
【００２４】
このとき、好ましくは、子機１００Ｂは、ユーザに対して上記動作モードを報知する（ステップＳ２）。この報知は、ディスプレイ１３Ｂなどを用いてガイダンスの表示で行なってもよいし、図示しないスピーカを用いて音声出力で行なってもよい。ガイダンスを出力するため、子機１００Ｂは、予め報知情報を記憶しておき、上記ユーザ操作を受け付けるとその報知情報に基づいてガイダンスを出力する。このガイダンスは、上記第２の通信の相手方である携帯電話機２を携帯している該ユーザに対して、第２の通信のための第２通信部１５を搭載した親機１００Ａから通信可能な位置に携帯電話機２を配置させることを案内するものであればよい。
【００２５】
さらに、親機１００Ａが第２の通信として複数種類の通信が可能である場合、子機１００Ｂは、第２の通信の種類に応じた報知情報を予め記憶しておいてもよい。そして、子機１００Ｂは、上記ユーザ操作に従った第２の通信の種類に応じた報知情報を決定し、その報知情報に基づいてガイダンスを出力してもよい。
【００２６】
上記ステップＳ１で動作モードが報知されると、好ましくは、親機１００Ａは、たとえばディスプレイ１３Ｂなどを用いて、ユーザに対して通知された動作モードを報知する（ステップＳ３）。この報知も、上記ステップＳ２と同様に、ディスプレイ１３Ｂなどを用いてガイダンスの表示で行なってもよいし、図示しないスピーカを用いて音声出力で行なってもよい。またたとえば、図示しないランプが備えられる場合、親機１００Ａはそのランプを点滅させることで報知してもよい。
【００２７】
親機１００Ａは、子機１００Ｂからの通知に従って携帯電話機２への通信を接続するための処理を実行する（ステップＳ４）。そして、親機１００Ａは、子機１００Ｂに対して第２の通信の状況を通知する（ステップＳ５）。ここでの通知には、第１の通信が用いられる。この通知は、上記ステップＳ１の通知を受けてから所定時間内に携帯電話機２との間で第２の通信が成立したか否かを通知するものである。一例として、上記ステップＳ１の通知を受けてからの経過時間が予め規定された時間に達したことを検知した親機１００Ａ側から、第２の通信の状況（成立、または不成立）を子機１００Ｂに対して通知するものであってもよい。または、上記ステップＳ１の通知を受けてから所定の時間間隔で親機１００Ａが第２の通信の状況（成立、または不成立）を子機１００Ｂに対して通知するものであってもよい。または、上記ステップＳ１の通知の後、子機１００Ｂ側が所定の間隔、または規定時間の経過の後に親機１００Ａに対して第２の通信の状況を問い合わせ、その問い合わせに対して親機１００Ａが第２の通信の状況（成立、または不成立）を応答するものであってもよい。
【００２８】
上記通知を受けた子機１００Ｂは、親機１００Ａと周辺機器である携帯電話機２との間の第２の通信の状況をユーザに対して報知する（ステップＳ６）。この報知は、親機１００Ａと携帯電話機２との間が第２の通信で接続されたか否かを報知するものであって、少なくとも一方が報知されればよい。一例として、子機１００Ｂは、ユーザ操作を受け付けてから所定時間、親機１００Ａと携帯電話機２との間の第２の通信が不成立であった場合に、その旨を報知する。
【００２９】
親機１００Ａと周辺機器である携帯電話機２との間の第２の通信を必要とした動作は、親機１００Ａに携帯電話機２を対応付けるための動作であるペアリング動作や、対応付けた後に電話帳データなどの記憶されているデータを親機１００Ａと携帯電話機２との間で転送する動作ための動作である転送動作などを含む。
【００３０】
図６は、ペアリング動作の指示をユーザから受け付けたときの子機１００Ｂの表示を表わした図であり、図７は、転送動作の指示をユーザから受け付けたときの子機１００Ｂの表示を表わした図である。
【００３１】
図６を参照して、ユーザは、操作部１６を操作して、メニュー画面（Ａ）から周辺機器との対応付けを表わす「セツゾクセッテイ」を選んで決定することで、ペアリング動作の開始を指示することができる。この指示を受け付けると、通信装置１は図５の一連の動作を開始する。親機１００Ａは、動作モードがペアリング動作であることを子機１００Ｂから通知されると、携帯電話機２との間で第２の通信を成立させて携帯電話機２から得た機器情報を登録する。
【００３２】
親機１００Ａと携帯電話機２との間の第２の通信が不成立であった場合、第１の通信を利用してその旨が子機１００Ｂに通知され、図６の報知画面（Ｂ）が表示される。一例として、第２の通信がＢｌｕｅｔｏｏｔｈ（登録商標）などの近距離無線通信である場合、子機１００Ｂは、「オヤキノチカクデソウシンシテクダサイ」とのメッセージを含んだ報知画面（Ｂ）をディスプレイ１３Ｂに表示して、親機１００Ａから通信可能な範囲に携帯電話機２を移動させることをうながす。また、第２の通信がＩｒＳｉｍｐｌｅ（登録商標）などの赤外線通信である場合、子機１００Ｂは「オヤキニムケテソウシンシテクダサイ」とのメッセージを含んだ報知画面をディスプレイ１３Ｂに表示してもよい。
【００３３】
図７を参照して、ユーザは、操作部１６を操作して、メニュー画面（Ａ）から電話帳データの転送を表わす「デンワチョウテンソウ」を選んで決定することで、転送動作の開始を指示することができる。この指示を受け付けると、通信装置１は図５の一連の動作を開始する。親機１００Ａは、動作モードが転送動作であることを子機１００Ｂから通知されると、携帯電話機２との間で第２の通信を成立させて携帯電話機２から電話帳データを受け付けて、自身の電話帳データ用のメモリに登録する。
【００３４】
子機１００Ｂは上記のユーザ操作を受け付けると、好ましくは、報知画面（Ｂ）を表示する。たとえば、子機１００Ｂは、「オヤキヘソウシンシテクダサイ」とのメッセージを含んだ報知画面（Ｂ）を表示して、親機１００Ａから通信可能な範囲に携帯電話機２を移動させることをうながしてもよい。
【００３５】
親機１００Ａと携帯電話機２との間の第２の通信が不成立であった場合、第１の通信を利用してその旨が子機１００Ｂに通知され、図７の報知画面（Ｃ）が表示される。一例として、第２の通信がＢｌｕｅｔｏｏｔｈ（登録商標）などの近距離無線通信である場合、子機１００Ｂは、「オヤキノチカクデソウシンシテクダサイ」とのメッセージを含んだ報知画面（Ｃ）をディスプレイ１３Ｂに表示して、親機１００Ａから通信可能な範囲に携帯電話機２を移動させることをうながす。また、第２の通信がＩｒＳｉｍｐｌｅ（登録商標）などの赤外線通信である場合、子機１００Ｂは「オヤキニムケテソウシンシテクダサイ」とのメッセージを含んだ報知画面をディスプレイ１３Ｂに表示してもよい。
【００３６】
＜機能構成＞
図８は、上記動作を行なうための子機１００Ｂ側の機能構成の具体例を示すブロック図であり、図９は、親機１００Ａ側の機能構成の具体例を示すブロック図である。これら機能は、それぞれのＣＰＵがＲＯＭに記憶されているプログラムをＲＡＭ上に読み出して実行することで、主に、ＣＰＵによって実現される。しかしながら、一部が、電気回路などの図示されていないハードウェアによって実現されてもよい。
【００３７】
図８を参照して、子機１００ＢのＣＰＵ１０Ｂは、操作部１６からの操作信号の入力を受け付けることでユーザ操作を受け付けるための指示入力部１０１と、ユーザ操作が親機１００Ａと周辺機器である携帯電話機２との間の第２の通信を必要とした動作の開始を指示するものである場合に指示された動作モードを、第１通信部１４Ｂを介して（第１の通信を利用して）親機１００Ａに通知するためのモード通知部１０２と、上記動作モードをディスプレイ１３Ｂにガイダンスを表示することでユーザに報知するためのガイダンス表示部１０３と、第１通信部１４Ｂを介して（第１の通信を利用して）親機１００Ａから第２の通信の状況の通知を受け取る処理を行なうための通知入力部１０４と、上記通知に基づいて親機１００Ａと携帯電話機２との間の第２の通信の状況についての報知画面をディスプレイ１３Ｂに表示することでユーザに報知するための報知部１０５とを含む。
【００３８】
図９を参照して、親機１００ＡのＣＰＵ１０Ａは、第１通信部１４Ａを介して（第１の通信を利用して）子機１００Ｂから携帯電話機２との間の第２の通信を必要とした動作の開始が指示されたことを表わす動作モードの通知を受け付けるための通知入力部１１１と、指示された動作を行なうために第２通信部１５を用いて携帯電話機２との間の第２の通信を確立する処理を行なうための通信処理部１１２と、上記動作モードをディスプレイ１３Ａなどを用いてユーザに報知するための報知部１１３と、通信処理部１１２での処理を監視して第２の通信の状況を第１通信部１４Ａを介して（第１の通信を利用して）子機１００Ｂに通知するための通知部１１４とを含む。
【００３９】
親機１００Ａの通知部１１４と子機１００Ｂの通知入力部１０４とは、第２の通信の状況を報知する処理を実行するための通信装置１の報知部に該当する。通信装置１の報知部は、第２の通信の状況を報知するための処理として、以下のいずれの処理を実行してもよい：
処理例１）親機１００Ａの通知部１１４が通知入力部１１１で動作モードの通知の入力を受け付けてから規定時間経過後の第２の通信の状況を第１の通信を利用して子機１００Ｂに通知し、子機１００Ｂの通知入力部１０４がその通知を受け取る、
処理例２）子機１００Ｂの通知入力部１０４がモード通知部１０２で親機１００Ａに対して動作モードを通知してから規定時間経過後に、第１の通信を利用して親機１００Ａに対して第２の通信の状況を問い合わせ、その応答を子機１００Ｂの通知入力部１０４が受け取る。
【００４０】
さらに、親機１００Ａが第２の通信として、Ｂｌｕｅｔｏｏｔｈ（登録商標）などの近距離無線通信およびＩｒＳｉｍｐｌｅ（登録商標）などの赤外線通信、などの複数種類の通信が可能であった場合、通信装置１の報知部は、予め通信の種類ごとに報知内容（メッセージ）を記憶しておく。そして、報知部は、ユーザ操作によって指示された動作に必要な携帯電話機２との間の第２の通信の種類を特定し、記憶しているメッセージの中から特定された第２の通信の種類に応じたメッセージを選択し、そのメッセージを子機１００Ｂのディスプレイ１３Ｂに表示することで報知する。
【００４１】
＜動作フロー＞
図１０は、子機１００Ｂでの動作の流れを表わしたフローチャートである。図１０のフローチャートに表わされた動作は、子機１００ＢのＣＰＵ１０ＢがＲＯＭ１１Ｂに記憶されているプログラムをＲＡＭ１２Ｂ上に読み出して実行し、図８の各機能を発揮することによって実現される。図１０の動作は、操作部１６で親機１００Ａと周辺機器である携帯電話機２との間の第２の通信を必要とした動作の開始の指示を受け付けると開始する。
【００４２】
すなわち、図１０を参照して、ＣＰＵ１０Ｂは上記指示を受け付けると動作を開始し、その指示が、ペアリング動作を指示するものであるか、転送動作を指示するものであるかを判断する。ユーザ操作がペアリング動作を指示するものである場合（ステップＳ１０１でＹＥＳ）、ＣＰＵ１０Ｂは、ペアリング動作を行なう動作モードであることを、第１の通信を利用して親機１００Ａに通知する（ステップＳ１０３）。
【００４３】
ユーザ操作が転送動作を指示するものである場合（ステップＳ１０１でＮＯ）、ＣＰＵ１０Ｂは、転送動作を行なう動作モードであることを第１の通信を利用して親機１００Ａに通知すると共に（ステップＳ１０５）、図７の（Ｂ）の表示などのガイダンスをディスプレイ１３Ｂに表示する（ステップＳ１０７）。
【００４４】
ユーザ操作から予め規定した時間が経過するまでに親機１００Ａと携帯電話機２との間で第２の通信が成立していることが親機１００Ａから第１の通信を利用して通知されると（ステップＳ１０９でＹＥＳ）、ＣＰＵ１０Ｂは一連の動作を終了する。
【００４５】
一方、ユーザ操作から予め規定した時間が経過するまでに親機１００Ａと携帯電話機２との間で第２の通信が成立していることが親機１００Ａから第１の通信を利用して通知されない場合、または、第２の通信が不成立であることを通知された場合（ステップＳ１０９でＮＯ）、ＣＰＵ１０Ｂは、図６の（Ｂ）や図７の（Ｃ）の表示などのメッセージをディスプレイ１３Ｂに表示して、第２の通信の状況をユーザに対して報知する（ステップＳ１１１）。
【００４６】
図１１は、親機１００Ａでの動作の流れを表わしたフローチャートである。図１１のフローチャートに表わされた動作は、親機１００ＡのＣＰＵ１０ＡがＲＯＭ１１Ａに記憶されているプログラムをＲＡＭ１２Ａ上に読み出して実行し、図９の各機能を発揮することによって実現される。図１１の動作は、子機１００Ｂから、携帯電話機２との間の第２の通信を必要とした動作の開始を指示する動作モードの通知を受け付けると開始する。
【００４７】
すなわち、図１１を参照して、ＣＰＵ１０Ａは上記通知を受け付けると動作を開始し、動作モードがペアリング動作であるか転送動作であるかを判断する（ステップＳ２０１）。そして、ＣＰＵ１０Ａは、動作モードに応じたメッセージをディスプレイ１３Ａに表示するなどして、動作モードをユーザに対して報知する（ステップＳ２０３，Ｓ２０５）。
【００４８】
ＣＰＵ１０Ａは、子機１００Ｂからの通知に従って携帯電話機２との間の第２の通信を接続するための処理を実行する（ステップＳ２０７）。その結果、携帯電話機２との間で第２の通信が成立すると（ステップＳ２０９でＹＥＳ）、ＣＰＵ１０Ａは一連の動作を終了する。
【００４９】
携帯電話機２との間で第２の通信が成立しなかった場合（ステップＳ２０９でＮＯ）、ＣＰＵ１０Ａは通信が不成立であったことを第１の通信を利用して子機１００Ｂに対して通知すると共に（ステップＳ２１１）、引き続き、携帯電話機２との間の第２の通信を接続するための処理を実行する。このろき、ＣＰＵ１０Ａは、予め規定された時間が経過したことが検出されたタイミングで第２の通信が成立していなかった場合に子機１００Ｂに対して通知してもよいし、所定の時間間隔で第２の通信の成立／不成立を子機１００Ｂに対して通知してもよい。
【００５０】
＜実施の形態の効果＞
以上の動作が行なわれることで、上記の例に示されたように、親機１００Ａに第２の通信のための第２通信部１５が搭載され、子機１００Ｂに第２の通信に関する操作を受け付けるための操作部１６が設けられ、携帯電話機２を携帯したユーザが子機１００Ｂで上記操作を行なったときに親機１００Ａと第２の通信が可能な範囲内になく第２の通信が成立しないために動作が行なわれない場合であっても、子機１００Ｂからの報知で、ユーザは、携帯電話機２が親機１００Ａから第２の通信が可能な範囲にないために通信ができないことによって動作が行なわれなかったという理由を子機１００Ｂの報知によって知ることができる。そのため、ユーザは、速やかに通信可能な位置に携帯電話機２を置くことができ、指示した動作を行なわせることが可能となる。従って、通信装置１は上記動作を行なうことで、ユーザ操作によって指示された周辺機器との連携を適切にアシストすることができる。
【００５１】
＜変形例＞
図１では、通信装置１に子機１００Ｂが１台のみ含まれる例が表わされている。他の例として、通信装置１に子機１００Ｂが複数台、含まれてもよい。
【００５２】
このとき、子機１００Ｂは、上記ステップＳ１で動作モードを親機１００Ａに通知する際に、機器ＩＤなどの自身の識別情報も併せて通知する。親機１００Ａは、上記通知に含まれる機器ＩＤからユーザ操作を受け付けた子機１００Ｂを特定し、上記ステップＳ５で、特定された子機１００Ｂに対して第２の通信の状況を通知する。すなわち、親機１００Ａは、当該親機１００Ａに登録されている複数台の子機１００Ｂのうちの、親機１００Ａと周辺機器である携帯電話機２との間の第２の通信を必要とした動作の開始を指示するユーザ操作を受け付けた子機１００Ｂに対してのみ、第２の通信の状況を通知する。
【００５３】
このようにすることで、複数台の子機１００Ｂが通信装置１に含まれ、そのうちの１台を用いてユーザが操作した場合に、その操作に従った動作が第２の通信の不成立によって行なわれないという理由を操作している子機１００Ｂでの報知によって知ることができる。
【００５４】
もちろん、他の例として、親機１００Ａは、当該親機１００Ａに登録されている上記複数台の子機１００Ｂすべてに第２の通信の状況を通知してもよい。このようにすることで、ユーザはいずれの子機１００Ｂでも第２の通信の状況を知ることができるので、ユーザの利便性を向上させることができる。または、親機１００Ａは、当該親機１００Ａに登録されている上記複数台の子機１００Ｂのうち、現在使用中でない子機１００Ｂに第２の通信の状況を通知してもよい。このようにすることで、現在、子機１００Ｂを使用中のユーザには不要な情報を提示することなく、その他の子機１００Ｂのいずれでも第２の通信の状況を知ることができるので、ユーザの利便性をさらに向上させることができる。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５６】
１  通信装置、２  携帯電話機、１０Ａ，１０Ｂ，２０  ＣＰＵ、１１Ａ，１１Ｂ，２１  ＲＯＭ、１２Ａ，１２Ｂ，２２  ＲＡＭ、１３Ａ，１３Ｂ  ディスプレイ、１４Ａ，１４Ｂ  第１通信部、１５，２４  第２通信部、１６  操作部、２３  タッチパネル、２５  第３通信部、１００Ａ  親機、１００Ｂ  子機、１０１  指示入力部、１０２  モード通知部、１０３  ガイダンス表示部、１０４，１１１  通知入力部、１０５，１１３  報知部、１１２  通信処理部、１１４  通知部。
【図１】
2015012565.tif 000003
【図２】
2015012565.tif 000004
【図３】
2015012565.tif 000005
【図４】
2015012565.tif 000006
【図５】
2015012565.tif 000007
【図６】
2015012565.tif 000008
【図７】
2015012565.tif 000009
【図８】
2015012565.tif 000010
【図９】
2015012565.tif 000011
【図１０】
2015012565.tif 000012
【図１１】
2015012565.tif 000013